(57)【要約】【課題】無駄な電力消費を抑えることを可能とする無線装置等を提供する。【解決手段】他の無線装置からフレームを受信する毎に、受信した最新のフレームを記憶するメモリ２６０と、他の無線装置からフレームを受信する毎に、メモリ２６０に記憶されているフレームと、受信した最新のフレームとが同一であるか否かを判定する映像比較器２７０と、映像比較器２７０により、所定期間以上、メモリ２６０に記憶されているフレームと受信した最新のフレームとが同一であると判定された場合、無線装置２００の動作状態を休止状態に設定する制御部２５０とを備える。【選択図】図１
2010124082.tif 000002
【特許請求の範囲】
【請求項１】
動作状態として、所定値以上の電力を消費する活性状態および前記活性状態より消費電力の小さい休止状態を有し、他の無線装置と無線通信する無線装置であって、
前記他の無線装置から無線により送信される、動画像を構成する複数のフレームの各々を順次受信する通信手段と、
前記通信手段が前記他の無線装置からフレームを受信する毎に、受信した最新のフレームを記憶するメモリと、
前記通信手段が前記他の無線装置からフレームを受信する毎に、前記メモリに記憶されているフレームと、前記通信手段が受信した最新のフレームとが同一であるか否かを判定する判定手段と、
前記判定手段により、所定期間以上、前記メモリに記憶されているフレームと受信した最新のフレームとが同一であると判定された場合、前記無線装置の動作状態を前記休止状態に設定する設定手段とを備える、
無線装置。
【請求項２】
前記無線装置は、さらに、
前記判定手段により、前記所定期間以上、前記メモリに記憶されているフレームと受信した最新のフレームとが同一であると判定された場合、前記メモリに記憶されているフレームを、受信したフレームを表示する映像表示装置へ送信する送信手段を備える、
請求項１に記載の無線装置。
【請求項３】
前記通信手段は、前記判定手段により、前記所定期間以上、前記メモリに記憶されているフレームと受信した最新のフレームとが同一であると判定された場合、前記他の無線装置を休止状態とするための停止信号を前記他の無線装置へ送信する、
請求項１または２に記載の無線装置。
【請求項４】
前記設定手段は、前記無線装置の動作状態が前記休止状態であるときに、前記無線装置の動作状態を、前記活性状態に設定するための起動信号を前記通信手段が外部から受信した場合、前記無線装置の動作状態を前記活性状態に設定する、
請求項１〜３のいずれかに記載の無線装置。
【請求項５】
第１無線装置と、請求項１〜４のいずれかに記載の無線装置を第２無線装置として含む映像無線伝送システムであって、
前記第１無線装置は、動作状態として、所定値以上の電力を消費する活性状態および該活性状態より消費電力の小さい休止状態を有する装置であって、前記第２無線装置と無線通信し、
前記第１無線装置は、
外部から送信される、動画像を構成する複数のフレームの各々を順次受信する第１通信手段と、
前記第１通信手段が該外部からフレームを受信する毎に、受信した最新のフレームを記憶する第１メモリと、
前記第１通信手段が該外部からフレームを受信する毎に、前記第１メモリに記憶されているフレームと、前記第１通信手段が受信した最新のフレームとが同一であるか否かを判定する第１判定手段と、
前記第１無線装置の動作状態が前記休止状態であるときに、前記第１判定手段により前記第１メモリに記憶されているフレームと受信した最新のフレームとが同一でないと判定された場合、前記第１無線装置の動作状態を、前記活性状態に設定する第１設定手段とを備え、
前記第１通信手段は、前記第１無線装置の動作状態が前記休止状態であるときに、前記第１判定手段により前記第１メモリに記憶されているフレームと受信した最新のフレームとが同一でないと判定された場合、前記第２無線装置の動作状態を前記活性状態に設定するための起動信号を前記第２無線装置へ送信し、
前記第２無線装置の前記設定手段は、前記通信手段が前記第２無線装置から該起動信号を受信したとき、前記第２無線装置の動作状態が前記休止状態である場合、前記第２無線装置の動作状態を、前記活性状態に設定する、
映像無線伝送システム。
【請求項６】
動作状態として、所定値以上の電力を消費する活性状態および前記活性状態より消費電力の小さい休止状態を有する装置であって、かつ、メモリを備える装置であって、かつ、他の無線装置と無線通信する無線装置が行なう装置制御方法であって、
前記他の無線装置から無線により送信される、動画像を構成する複数のフレームの各々を順次受信する通信ステップと、
前記通信ステップにより、前記他の無線装置からフレームを受信する毎に、受信した最新のフレームを前記メモリに記憶させる記憶ステップと、
前記通信ステップにより、前記他の無線装置からフレームを受信する毎に、前記メモリに記憶されているフレームと、前記通信ステップにより受信した最新のフレームとが同一であるか否かを判定する判定ステップと、
前記判定ステップにより、所定期間以上、前記メモリに記憶されているフレームと受信した最新のフレームとが同一であると判定された場合、前記無線装置の動作状態を前記休止状態に設定する設定ステップとを備える、
装置制御方法。
【発明の詳細な説明】
【技術分野】
【０００１】
本発明は、映像信号を無線伝送する、無線装置、映像無線伝送システムおよび装置制御方法に関する。
【背景技術】
【０００２】
ＢＤ（Blu-ray Disc）レコーダーまたはＤＶＤレコーダー等の映像再生装置は、ディスプレイとしての映像表示装置と、ケーブルにより接続されるのが一般的である。しかしながら、映像再生装置および映像表示装置を、利用者の好きなように配置するためには、映像再生装置と映像表示装置とを接続するケーブルを長くする必要があり、不便である。そのため、映像信号の無線伝送の要求が高まっている。
【０００３】
図９は、従来の映像無線伝送システム５０００の構成を示すブロック図である。図９に示されるように、映像無線伝送システム５０００は、無線装置１００１と、無線装置２００２とを含む。なお、図９には、説明のために、映像再生装置３００および映像表示装置４００を示す。
【０００４】
映像再生装置３００は、一例として、ＢＤ（Blu-ray Disc）レコーダーまたはＤＶＤレコーダー等の再生装置である。映像再生装置３００は、映像コンテンツの映像信号および音声信号を出力する機能を有する。
【０００５】
無線装置１００１は、映像信号処理回路部１１０と、変調処理回路部１２０と、無線処理回路部１３０と、アンテナ１４０とを備える。
【０００６】
映像信号処理回路部１１０は、映像再生装置３００から、映像信号および音声信号を受信する。なお、以下においては、説明を簡単にするために、映像信号に対する処理のみを記載する。なお、映像再生装置３００から受信する音声信号は、映像信号と同様に映像信号処理回路部１１０により処理される。
【０００７】
映像信号処理回路部１１０は、受信した映像信号に対し、所定の信号処理を行なう。映像信号処理回路部１１０は、信号処理により得られた信号（デジタル信号としての映像信号）を、変調処理回路部１２０へ送信する。
【０００８】
変調処理回路部１２０は、映像信号処理回路部１１０から受信したデジタル信号を、アナログ信号へ変換する。また、変調処理回路部１２０は、アナログ信号としての映像信号に対し、無線処理に適した変調処理を行なう。以下においては、変調処理により得られた信号を、変調信号という。変調処理回路部１２０は、変調信号としての映像信号を、無線処理回路部１３０へ送信する。
【０００９】
無線処理回路部１３０は、受信した変調信号としての映像信号に対し、信号を電波に変換するための電波変換処理を行なう。電波変換処理は、波形整形処理、高周波変換処理、信号増幅処理等を含む。無線処理回路部１３０は、電波変換処理により得られた電波を、アンテナ１４０へ送信する。アンテナ１４０は、受信した電波を放射する。
【００１０】
無線装置２００２は、映像信号処理回路部２１０と、復調処理回路部２２０と、無線処理回路部２３０と、アンテナ２４０とを備える。
【００１１】
アンテナ２４０は、無線装置１００１から送信される電波を受信する。アンテナ２４０は、受信した電波を、無線処理回路部２３０へ送信する。無線処理回路部２３０は、受信した電波に対し、電波をアナログ信号に変換するためのアナログ信号変換処理を行なう。アナログ信号変換処理は、信号増幅処理、低周波変換処理、波形整形処理等を含む。無線処理回路部２３０は、アナログ信号変換処理により得られたアナログ信号としての映像信号を、復調処理回路部２２０へ送信する。
【００１２】
復調処理回路部２２０は、受信したアナログ信号に対し、復調処理を行なうことにより、当該アナログ信号を、デジタル信号に変換する。復調処理回路部２２０は、デジタル信号としての映像信号を、映像信号処理回路部２１０へ送信する。映像信号処理回路部２１０は、受信したデジタル信号としての映像信号に対し、所定の信号処理を行なう。映像信号処理回路部２１０は、当該信号処理により得られた映像信号を、映像表示装置４００へ送信する。映像表示装置４００は、受信した映像信号に基づく画像を表示する。
【００１３】
以上の処理により、映像再生装置３００から出力される映像信号を、無線により映像表示装置４００へ伝送し、当該映像信号に基づく画像（フレーム）を、映像表示装置４００で表示することができる。
【００１４】
近年、映像の高画質化に伴い、映像信号に含まれる映像データの容量は、非常に大きくなっている。そのため、容量の大きい映像データを含む映像信号を、無線伝送するためには、当該映像信号に含まれる映像データを圧縮する処理またはミリ波を伝送可能な高周波帯域の伝送経路を使用する処理が必要となる。また、同時に、映像データを圧縮した映像信号の無線伝送または映像データを圧縮しない映像信号の無線伝送に関わらず、映像信号の無線伝送の高効率化が図られることが多い。
【００１５】
たとえば、特許文献１では、処理対象のフレームと、当該処理対象のフレームの前のフレームとにおけるデータ変化量が閾値以上の変化ブロックを含むフレームのみを、符号化により圧縮する技術が開示されている。
【００１６】
また、特許文献２では、以下の技術が開示されている。まず、映像データを含む映像信号を送信する機器の状態（撮影状態、機器状態、使用状態）を判定して、映像データを送信する必要があるか否かを判定する。映像データを送信する必要がないと判定された場合は、映像データの送信を停止する。これにより、映像データを含む映像信号の無線伝送の効率化が図られる。
【００１７】
圧縮技術を用いた無線伝送装置では符号化装置および復号化装置が必要である。また、符号化装置および復号化装置の両方において、同一の圧縮方式を使用する必要がある。また、圧縮技術を用いた信号の無線伝送においては、圧縮処理を行なう時間だけ、信号の伝送に遅延が発生する。そのため、ミリ波を伝送可能な高周波帯域の伝送経路（以下、ミリ波伝送経路という）を使用した映像無線伝送が望まれる。
【特許文献１】特開平１０−２２９５５９号公報
【特許文献１】特開２００２−１１２０９３号公報
【発明の開示】
【発明が解決しようとする課題】
【００１８】
一般に、映像再生装置が出力する、動画像を構成する複数のフレームの各々を順次受信する無線装置が、受信したフレームを、無線通信により、通信相手となる、映像表示装置が接続された無線装置へ送信する場合、映像再生装置が出力するフレームに変化がない場合であっても、無線装置は、通信相手の無線装置にフレームを送信し続ける。この場合、当該無線装置は、無駄な電力を消費することになる。
【００１９】
本発明は、上述の問題点を解決するためになされたものであって、その目的は、無駄な電力消費を抑えることを可能とする無線装置等を提供することである。
【課題を解決するための手段】
【００２０】
上述の課題を解決するために、この発明のある局面に従う無線装置は、動作状態として、所定値以上の電力を消費する活性状態および活性状態より消費電力の小さい休止状態を有し、他の無線装置と無線通信する装置である。無線装置は、他の無線装置から無線により送信される、動画像を構成する複数のフレームの各々を順次受信する通信手段と、通信手段が他の無線装置からフレームを受信する毎に、受信した最新のフレームを記憶するメモリと、通信手段が他の無線装置からフレームを受信する毎に、メモリに記憶されているフレームと、通信手段が受信した最新のフレームとが同一であるか否かを判定する判定手段と、判定手段により、所定期間以上、メモリに記憶されているフレームと受信した最新のフレームとが同一であると判定された場合、無線装置の動作状態を休止状態に設定する設定手段とを備える。
【００２１】
すなわち、判定手段により、所定期間以上、メモリに記憶されているフレームと受信した最新のフレームとが同一であると判定された場合、無線装置の動作状態が、活性状態より消費電力の小さい休止状態に設定される。
【００２２】
したがって、所定期間以上、他の無線装置から受信するフレームに変化がない場合、無線装置の消費電力を低減することが可能となる。すなわち、無駄な電力消費を抑えることができる。
【００２３】
たとえば、他の無線装置から受信するフレームが、静止画像または動画再生時において一時停止された時の画像である場合、無線装置において、高速な無線通信をする必要が無くなる。そのため、無線装置の消費電力を低減することが可能となる。
【００２４】
また、無線装置は、さらに、判定手段により、所定期間以上、メモリに記憶されているフレームと受信した最新のフレームとが同一であると判定された場合、メモリに記憶されているフレームを、受信したフレームを表示する映像表示装置へ送信する送信手段を備えてもよい。
【００２５】
これにより、無線装置の動作状態が休止状態である場合にも、メモリに記憶されているフレームを映像表示装置により表示させることができる。そのため、映像表示装置が表示している画像が消えることを防ぐことができる。
【００２６】
また、通信手段は、判定手段により、所定期間以上、メモリに記憶されているフレームと受信した最新のフレームとが同一であると判定された場合、他の無線装置を休止状態とするための停止信号を他の無線装置へ送信してもよい。
【００２７】
これにより、他の無線装置も休止状態にすることができるため、更に消費電力を低減することが可能となる。
【００２８】
また、設定手段は、無線装置の動作状態が休止状態であるときに、無線装置の動作状態を、活性状態に設定するための起動信号を通信手段が外部から受信した場合、無線装置の動作状態を活性状態に設定してもよい。
【００２９】
これにより、無線装置の動作状態を、活性状態にすることができる。そのため、たとえば、休止状態の無線装置に対し、他の無線装置から新たなフレームが送信されているとする。この場合、無線装置の動作状態が活性状態になることにより、無線装置は新たなフレームを受信し、受信したフレームを映像表示装置へ送信することが可能となる。
【００３０】
この発明の他の局面に従う映像無線伝送システムは、第１無線装置と、上記の無線装置を第２無線装置として含む。第１無線装置は、動作状態として、所定値以上の電力を消費する活性状態および該活性状態より消費電力の小さい休止状態を有する装置であって、第２無線装置と無線通信する。第１無線装置は、外部から送信される、動画像を構成する複数のフレームの各々を順次受信する第１通信手段と、第１通信手段が該外部からフレームを受信する毎に、受信した最新のフレームを記憶する第１メモリと、第１通信手段が該外部からフレームを受信する毎に、第１メモリに記憶されているフレームと、第１通信手段が受信した最新のフレームとが同一であるか否かを判定する第１判定手段と、第１無線装置の動作状態が休止状態であるときに、第１判定手段により第１メモリに記憶されているフレームと受信した最新のフレームとが同一でないと判定された場合、第１無線装置の動作状態を、活性状態に設定する第１設定手段とを備える。第１通信手段は、第１無線装置の動作状態が休止状態であるときに、第１判定手段により第１メモリに記憶されているフレームと受信した最新のフレームとが同一でないと判定された場合、第２無線装置の動作状態を活性状態に設定するための起動信号を第２無線装置へ送信する。第２無線装置の設定手段は、通信手段が第２無線装置から該起動信号を受信したとき、第２無線装置の動作状態が休止状態である場合、第２無線装置の動作状態を、活性状態に設定する。
【００３１】
これにより、第１無線装置が順次受信するフレームが変化することにより、動作状態が休止状態である第１無線装置および第２無線装置の動作状態を、活性状態にすることができる。したがって、例えば、ユーザは、動作状態が休止状態である第１無線装置および第２無線装置の動作状態を、活性状態にするための機器の操作を行なう必要がなくなる。
【００３２】
この発明のさらに他の局面に従う装置制御方法は、動作状態として、所定値以上の電力を消費する活性状態および活性状態より消費電力の小さい休止状態を有する装置であって、かつ、メモリを備える装置であって、かつ、他の無線装置と無線通信する無線装置が行なう方法である。装置制御方法は、他の無線装置から無線により送信される、動画像を構成する複数のフレームの各々を順次受信する通信ステップと、通信ステップにより、他の無線装置からフレームを受信する毎に、受信した最新のフレームをメモリに記憶させる記憶ステップと、通信ステップにより、他の無線装置からフレームを受信する毎に、メモリに記憶されているフレームと、通信ステップにより受信した最新のフレームとが同一であるか否かを判定する判定ステップと、判定ステップにより、所定期間以上、メモリに記憶されているフレームと受信した最新のフレームとが同一であると判定された場合、無線装置の動作状態を休止状態に設定する設定ステップとを備える。
【００３３】
これにより、所定期間以上、他の無線装置から受信するフレームに変化がない場合、無線装置の消費電力を低減することが可能となる。すなわち、無駄な電力消費を抑えることができる。
【００３４】
なお、本発明は、装置制御方法で行なわれる処理を、コンピュータに実行させるプログラムとしても実現することもできる。また、本発明は、当該プログラムを格納するコンピュータ読み取り可能な記録媒体、集積回路としても実現することができる。
【発明の効果】
【００３５】
本発明に係る無線装置は、無駄な電力消費を抑えることができる。
【発明を実施するための最良の形態】
【００３６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３７】
＜第１の実施の形態＞
（システムの構成）
図１は、本実施の形態における、映像無線伝送システム１０００の構成を示すブロック図である。図１に示されるように、映像無線伝送システム１０００は、無線装置１００と、無線装置２００とを含む。なお、図１には、説明のために、映像再生装置３００および映像表示装置４００を示す。
【００３８】
映像再生装置３００は、ＢＤ（Blu-ray Disc）レコーダーである。なお、映像再生装置３００は、ＢＤレコーダーに限定されることなく、映像を再生することができる装置であれば、どのような装置であってもよい。映像再生装置３００は、例えば、ＤＶＤレコーダーであってもよい。映像表示装置４００は、一例として、ＰＤＰ（Plasma Display Panel）を使用した表示装置である。なお、映像表示装置４００は、ＰＤＰを使用した表示装置に限定されることなく、たとえば、液晶パネルを使用した表示装置であってもよい。
【００３９】
無線装置１００は、ケーブルにより、映像再生装置３００と接続される。無線装置１００は、映像再生装置３００から、映像コンテンツの映像信号および音声信号を受信する。
【００４０】
無線装置１００は、図９の無線装置１００１と比較して、制御部１５０をさらに備える点が異なる。それ以外は、無線装置１００１と同様なので、各部の詳細な説明は繰り返さない。
【００４１】
無線装置１００は、動作状態として、休止状態および活性状態を有する。活性状態は、無線装置１００の各部に、電力が供給されている状態であり、所定値以上の電力が消費される状態である。休止状態は、活性状態よりも消費電力が小さい状態である。休止状態の無線装置１００は、必要な箇所にのみ電力が供給される。本実施の形態において、休止状態は、装置の主電源がオフの状態ではなく、ビーコン等の最低限必要な電波の送受信が可能な状態である。
【００４２】
無線装置１００は、動作状態が休止状態であっても、図示しない内部電源から、変調処理回路部１２０、無線処理回路部１３０および制御部１５０へ電力が供給される。すなわち、無線装置１００の動作状態が休止状態であっても、変調処理回路部１２０、無線処理回路部１３０および制御部１５０は動作可能である。なお、アンテナ１４０は、電力が供給されなくても動作可能である。
【００４３】
制御部１５０は、無線装置１００の動作状態を、休止状態または活性状態に設定する。
【００４４】
本実施の形態では、一例として、映像コンテンツの動画像を構成する複数のフレームをそれぞれ得るための複数の映像信号の各々が、順次、映像信号処理回路部１１０、変調処理回路部１２０、無線処理回路部１３０およびアンテナ１４０の処理により、無線装置２００へ送信されるとする。また、無線装置２００へ送信される１つの映像信号は１つのフレームを示すとする。なお、これに限定されることなく、無線装置２００へ送信される１つの映像信号は、たとえば、複数のフレームを示す信号であってもよい。
【００４５】
無線装置２００は、図９の無線装置２００２と比較して、さらに、制御部２５０と、メモリ２６０と、映像比較器２７０と、切替部２８０とを備える。それ以外は、無線装置２００２と同様なので、各部の詳細な説明は繰り返さない。
【００４６】
無線装置２００は、無線装置１００と同様に、動作状態として、休止状態および活性状態を有する。活性状態は、無線装置２００の各部に、電力が供給されている状態であり、所定値以上の電力が消費される状態である。休止状態は、活性状態よりも消費電力が小さい状態である。休止状態の無線装置２００は、必要な箇所にのみ電力が供給される。
【００４７】
無線装置２００は、動作状態が休止状態であっても、図示しない内部電源から、復調処理回路部２２０、無線処理回路部２３０、制御部２５０、メモリ２６０、映像比較器２７０および切替部２８０へ電力が供給される。すなわち、無線装置２００の動作状態が休止状態であっても、復調処理回路部２２０、無線処理回路部２３０、制御部２５０、メモリ２６０、映像比較器２７０および切替部２８０は動作可能である。なお、アンテナ２４０は、電力が供給されなくても動作可能である。
【００４８】
制御部２５０は、無線装置２００の動作状態を、休止状態または活性状態に設定する。メモリ２６０は、１枚のフレームを記憶可能なメモリであるとする。なお、メモリ２６０は、複数のフレームを記憶可能なメモリであってもよい。
【００４９】
無線装置２００のアンテナ２４０は、無線装置１００から電波として送信される複数の映像信号の各々を、順次受信する。前述したように、当該複数の映像信号の各々は、１つのフレームを示す信号である。すなわち、アンテナ２４０は、無線装置１００から電波として送信される、動画像を構成する複数のフレームの各々を、順次受信する。アンテナ２４０は、電波としての映像信号を受信する毎に、受信した電波としての映像信号を、無線処理回路部２３０へ送信する。
【００５０】
そして、前述した、無線処理回路部２３０および復調処理回路部２２０の処理が繰りかえし行なわれることにより、デジタル信号としての複数の映像信号の各々が、映像信号処理回路部２１０へ順次送信される。すなわち、映像信号処理回路部２１０は、動画像を構成する複数のフレームの各々を順次受信する。
【００５１】
映像信号処理回路部２１０は、デジタル信号としての映像信号を受信する毎に、受信した映像信号に対し、所定の信号処理を行ない、所定の信号処理が行なわれた映像信号としてのフレームを、映像比較器２７０へ送信する。
【００５２】
映像比較器２７０は、映像信号としてのフレームを初めて受信する場合、受信したフレームを、メモリ２６０に記憶させる。そして、映像比較器２７０は、映像信号としてのフレームを受信する毎に、受信した最新のフレームと、メモリ２６０に記憶されているフレームとが同一であるか否かを判定する。以下においては、メモリ２６０に記憶されているフレームを、記憶フレームという。
【００５３】
映像比較器２７０は、受信した最新のフレームと、記憶フレームとが同一でないと判定した場合、受信した最新のフレームと、最新フレーム送信指示とを、切替部２８０へ送信する。最新フレーム送信指示は、切替部２８０に、映像比較器２７０から受信するフレームを、映像表示装置４００へ送信させるための指示である。また、映像比較器２７０は、受信した最新のフレームを、メモリ２６０に上書き記憶させる。
【００５４】
切替部２８０は、映像比較器２７０から最新フレーム送信指示を受信すると、映像比較器２７０から受信したフレームを映像表示装置４００へ送信する。映像表示装置４００は、受信したフレームを表示する。
【００５５】
映像比較器２７０は、受信した最新のフレームと、記憶フレームとが同一であると判定した場合、受信した最新のフレームを、メモリ２６０に上書き記憶させる。
【００５６】
また、映像比較器２７０は、所定期間（たとえば、１秒以上）以上、受信した最新のフレームと、記憶フレームとが同一であると連続して判定した場合、メモリフレーム送信指示を、切替部２８０へ送信する。メモリフレーム送信指示は、切替部２８０に、メモリ２６０に記憶されているフレームを映像表示装置４００へ送信させるための指示である。
【００５７】
切替部２８０は、メモリフレーム送信指示を受信すると、メモリ２６０に記憶されているフレーム（記憶フレーム）を映像表示装置４００へ送信する。映像表示装置４００は、受信したフレームを表示する。
【００５８】
（無線装置における処理）
次に、無線装置２００において、受信したフレームに対して行なわれる処理（以下、フレーム対応処理という）について説明する。なお、フレーム対応処理は、映像比較器２７０が、無線装置１００から送信される最初のフレームを受信した後の処理であるとする。この場合、前述した映像比較器２７０の処理により、メモリ２６０には、既に、フレームが記憶されているとする。
【００５９】
図２は、フレーム対応処理のフローチャートである。
【００６０】
図２に示されるように、ステップＳ１１１では、フレーム取得処理が行なわれる。フレーム取得処理では、映像比較器２７０が、前述した、アンテナ２４０、無線処理回路部２３０、復調処理回路部２２０および映像信号処理回路部２１０の処理により、無線装置１００から送信されるフレームを取得する。
【００６１】
ステップＳ１１２では、映像比較器２７０が、受信した最新のフレームと、メモリ２６０に記憶されているフレーム（記憶フレーム）とが同一であるか否かを判定する。ステップＳ１１２において、ＹＥＳならば、処理はステップＳ１１３に移行する。一方、ステップＳ１１２において、ＮＯならば、処理は後述するステップＳ１３１に移行する。ここでは、受信した最新のフレームと、記憶フレームとが同一であるとする。この場合、処理は、ステップＳ１１３に移行する。
【００６２】
ステップＳ１１３では、記憶処理が行なわれる。記憶処理では、映像比較器２７０が、受信した最新のフレームを、メモリ２６０に上書き記憶させる。
【００６３】
ステップＳ１１４では、所定期間、フレームに変化がないか否かが判定される。具体的には、映像比較器２７０が、所定期間以上、受信した最新のフレームと、記憶フレームとが同一であると連続して判定されたか否かを判定する。ここで、所定期間は、たとえば、１秒である。
【００６４】
ステップＳ１１４において、ＹＥＳならば、処理は後述するステップＳ１２１に移行する。一方、ステップＳ１１４において、ＮＯならば、処理はステップＳ１１５に移行する。ここでは、所定期間以上、受信した最新のフレームと、記憶フレームとが同一であると連続して判定されていないとする。この場合、処理は、ステップＳ１１５に移行する。
【００６５】
ステップＳ１１５では、表示処理が行なわれる。表示処理では、映像比較器２７０が、受信した最新のフレームと、前述した最新フレーム送信指示とを、切替部２８０へ送信する。そして、再度、ステップＳ１１１の処理が行なわれる。
【００６６】
切替部２８０は、映像比較器２７０から最新フレーム送信指示を受信すると、映像比較器２７０から受信したフレームを映像表示装置４００へ送信する。映像表示装置４００は、受信したフレームを表示する。そして、再度、ステップＳ１１１の処理が行なわれる。
【００６７】
次に、所定期間以上、受信した最新のフレームと、記憶フレームとが同一であると連続して映像比較器２７０により判定されたとする。この場合、ステップＳ１１４でＹＥＳと判定され、ステップＳ１２１に移行する。ステップＳ１１４でＹＥＳと判定される場合は、例えば、映像再生装置３００の再生状態が、一時停止状態となり、映像再生装置３００が同じフレーム（映像信号）を、無線装置１００へ送信している場合である。また、ステップＳ１１４でＹＥＳと判定される場合は、例えば、映像再生装置３００が、同じ静止画像を、無線装置１００へ送信している場合である。
【００６８】
ステップＳ１２１では、記憶フレーム表示処理が行なわれる。記憶フレーム表示処理では、映像比較器２７０が、前述したメモリフレーム送信指示を、切替部２８０へ送信する。
【００６９】
切替部２８０は、メモリフレーム送信指示を受信すると、表示処理Ｎを実行する。表示処理Ｎは、他の処理とは独立して行なわれる処理である。
【００７０】
表示処理Ｎでは、切替部２８０が、メモリ２６０に記憶されているフレーム（記憶フレーム）を映像表示装置４００へ送信する。この場合の、映像無線伝送システム１０００における信号の流れを図３に示す。
【００７１】
図３は、映像無線伝送システム１０００における信号の流れを示す図である。
【００７２】
映像表示装置４００は、切替部２８０から受信したフレームを表示する。
【００７３】
なお、切替部２８０は、映像比較器２７０から、再度、最新フレーム送信指示を受信するまで、所定時間（例えば、１／３０秒）毎に、表示処理Ｎを繰り返し行なう。すなわち、切替部２８０は、最新フレーム送信指示を受信すると、表示処理Ｎを中止する。
【００７４】
この場合、映像表示装置４００は、切替部２８０から送信されるフレームを受信する毎に、受信したフレームを表示する。すなわち、切替部２８０が、映像比較器２７０から最新フレーム送信指示を受信するまで、映像表示装置４００は、同じフレームを表示し続けることになる。
【００７５】
再び、図２に示されるように、ステップＳ１２１の処理の後、処理はステップＳ１２２に移行する。
【００７６】
ステップＳ１２２では、休止処理が行なわれる。休止処理では、図３に示されるように、制御部２５０が、停止信号を、復調処理回路部２２０へ送信する。当該停止信号は、無線装置１００の動作状態を休止状態にするための停止コマンドを含む信号である。復調処理回路部２２０は、受信した停止信号に対し、無線処理に適した変調処理を行なう。以下においては、変調処理により得られた信号を、変調信号という。復調処理回路部２２０は、変調信号としての停止信号を、無線処理回路部２３０へ送信する。
【００７７】
無線処理回路部２３０は、受信した変調信号としての停止信号に対し、信号を電波に変換するための電波変換処理を行なう。電波変換処理は、波形整形処理、高周波変換処理、信号増幅処理等を含む。無線処理回路部２３０は、電波変換処理により得られた電波としての停止信号を、アンテナ２４０へ送信する。アンテナ２４０は、受信した電波を無線装置１００へ送信する。そして、この休止処理は終了する。
【００７８】
無線装置１００のアンテナ１４０は、電波としての停止信号を受信する。アンテナ１４０は、受信した電波としての停止信号を無線処理回路部１３０へ送信する。無線処理回路部１３０は、受信した電波としての停止信号に対し、電波をアナログ信号に変換するためのアナログ信号変換処理を行なう。そして、無線処理回路部１３０は、アナログ信号としての停止信号を、変調処理回路部１２０へ送信する。
【００７９】
変調処理回路部１２０は、受信したアナログ信号としての停止信号に対し、復調処理を行なうことにより、当該アナログ信号を、デジタル信号に変換する。そして、変調処理回路部１２０は、デジタル信号としての停止信号を、制御部１５０へ送信する。
【００８０】
制御部１５０は、受信した、デジタル信号としての停止信号に含まれる停止コマンドに応じて、無線装置１００の動作状態を休止状態に設定する。
【００８１】
ステップＳ１２３では、自装置休止処理が行なわれる。自装置休止処理では、制御部２５０が、自装置（無線装置２００）の動作状態を、休止状態に設定する。無線装置１００および無線装置２００の動作状態が、休止状態になった場合の、映像無線伝送システム１０００の状態を図４に示す。
【００８２】
図４は、映像無線伝送システム１０００内の無線装置１００および無線装置２００の動作状態が、休止状態である場合の図である。
【００８３】
図４に示されるように、無線装置２００の切替部２８０は、無線装置２００の動作状態が、休止状態であっても、所定時間（例えば、１／３０秒）毎に、前述した表示処理Ｎを繰り返し行なう。
【００８４】
これにより、無線装置２００の動作状態が休止状態である場合にも、映像表示装置４００は、メモリ２６０に記憶されているフレーム（記憶フレーム）を表示し続けることができる。
【００８５】
次に、映像比較器２７０が受信した最新のフレームと、記憶フレームとが同一であるとする。この場合、ステップＳ１１２でＮＯと判定され、処理はステップＳ１３１に移行する。
【００８６】
ステップＳ１３１では、ステップＳ１１３と同様に記憶処理が行なわれるので詳細な説明は繰り返さない。そして、再度、ステップＳ１１５の処理が行なわれる。
【００８７】
以上説明したように、本実施の形態においては、無線装置１００から送信されるフレーム（映像）が、所定期間以上、変化がない場合、無線装置１００および無線装置２００の動作状態は、休止状態に設定される。したがって、無駄な電力消費を抑えることができる。
【００８８】
無線装置１００から送信されるフレーム（映像）が、所定期間以上、変化がない場合は、例えば、映像再生装置３００の再生状態が、一時停止状態となり、映像再生装置３００が同じフレーム（映像）を、無線装置１００へ送信している場合である。また、無線装置１００から送信されるフレーム（映像）が、所定期間以上、変化がない場合は、映像再生装置３００が、同じ静止画像を、無線装置１００へ送信している場合である。この場合、無線装置１００および無線装置２００の消費電力の削減を図ることができる。
【００８９】
また、本実施の形態においては、無線装置１００および無線装置２００の動作状態が、休止状態である場合においても、無線装置２００の切替部２８０は、所定時間（例えば、１／３０秒）毎に、メモリ２６０に記憶されているフレーム（記憶フレーム）を映像表示装置４００へ送信する。映像表示装置４００は、受信したフレームを表示する。
【００９０】
これにより、無線装置１００および無線装置２００の動作状態が休止状態である場合にも、映像表示装置４００は、メモリ２６０に記憶されているフレーム（記憶フレーム）を表示し続けることができる。
【００９１】
＜第２の実施の形態＞
第１の実施の形態では、無線装置１００および無線装置２００の動作状態を、休止状態にするための処理について説明した。本実施の形態では、無線装置１００および無線装置２００の動作状態が休止状態である場合に、無線装置１００および無線装置２００の動作状態を、活性状態に設定するための処理（以下、起動処理という）について説明する。
【００９２】
なお、本実施の形態における映像無線伝送システムは、図１の映像無線伝送システム１０００と同様なので詳細な説明は繰り返さない。本実施の形態における映像無線伝送システムは、以下の外部制御機器６００により制御される。
【００９３】
（システムの構成）
図５は、本実施の形態における、映像無線伝送システム１０００の構成を示すブロック図である。なお、図５には、説明のために、映像再生装置３００および映像表示装置４００、外部制御機器６００を示す。
【００９４】
外部制御機器６００は、リモートコントローラーである。外部制御機器６００は、無線通信により、無線装置１００および無線装置２００の動作状態を制御する機能を有する。無線通信は、例えば、赤外線または電波を使用する通信である。外部制御機器６００の外部には、図示しない起動ボタンが設けられている。
【００９５】
外部制御機器６００は、ユーザにより、外部の起動ボタンが押下されると、電波としての起動信号を、無線装置１００および無線装置２００へ送信する。起動信号は、無線装置１００および無線装置２００の動作状態を活性状態にするための起動コマンドを含む信号である。なお、起動信号は、電波に限定されることなく、例えば、赤外線信号であってもよい。
【００９６】
なお、外部制御機器６００は、リモートコントローラーに限定されることなく、無線通信により、無線装置１００および無線装置２００の動作状態を制御する機能を有する装置であれば、他の装置であってもよい。
【００９７】
（起動処理）
次に、無線装置１００および無線装置２００の動作状態が休止状態である場合に、無線装置１００および無線装置２００の動作状態を、活性状態に設定するための起動処理について説明する。
【００９８】
前述したように、無線装置１００の動作状態が休止状態であっても、変調処理回路部１２０、無線処理回路部１３０および制御部１５０は動作可能である。また、無線装置２００の動作状態が休止状態であっても、復調処理回路部２２０、無線処理回路部２３０、制御部２５０、メモリ２６０、映像比較器２７０および切替部２８０は動作可能である。
【００９９】
ここで、外部制御機器６００の外部に設けられた起動ボタンがユーザにより押下されたとする。この場合、外部制御機器６００は、電波としての起動信号を、無線装置１００および無線装置２００へ送信する。
【０１００】
ここで、映像再生装置３００は、無線装置１００の動作状態が休止状態になったときとは異なる新たな映像信号（新たなフレーム）を、順次、無線装置１００へ送信しているとする。このとき、無線装置１００および無線装置２００の動作状態が、休止状態であると、映像再生装置３００から送信される新たなフレームを、映像表示装置４００に表示させることはできない。そのため、無線装置１００および無線装置２００の動作状態を、活性状態にする必要が生じる。
【０１０１】
図６は、起動処理のフローチャートである。起動処理は、無線装置１００および無線装置２００で行なわれる。以下の説明では、無線装置１００で行なわれる起動処理について説明する。
【０１０２】
ステップＳ２１１では、無線処理回路部１３０が、電波としての起動信号が、アンテナ１４０により受信されたか否かを判定する。ステップＳ２１１において、ＹＥＳならば、処理はステップＳ２１２に移行する。一方、ステップＳ２１１において、ＮＯならば、再度、ステップＳ２１１の処理が行なわれる。ここでは、電波としての起動信号が、アンテナ１４０により受信されたとする。
【０１０３】
ステップＳ２１２では、活性状態設定処理が行なわれる。活性状態設定処理では、無線処理回路部１３０が、アンテナ１４０が受信した、電波としての起動信号に対し、電波をアナログ信号に変換するためのアナログ信号変換処理を行なう。そして、無線処理回路部１３０は、アナログ信号としての起動信号を、変調処理回路部１２０へ送信する。
【０１０４】
変調処理回路部１２０は、受信したアナログ信号としての起動信号に対し、復調処理を行なうことにより、当該アナログ信号を、デジタル信号に変換する。そして、変調処理回路部１２０は、デジタル信号としての起動信号を、制御部１５０へ送信する。
【０１０５】
制御部１５０は、受信した、デジタル信号としての起動信号に含まれる起動コマンドに応じて、無線装置１００の動作状態を活性状態に設定する。
【０１０６】
以上の処理により、無線装置１００の動作状態は、活性状態に設定される。
【０１０７】
なお、無線装置２００を、活性状態に設定するための処理は、図６の起動処理の説明において、無線処理回路部１３０、アンテナ１４０、変調処理回路部１２０および制御部１５０を、それぞれ、無線処理回路部２３０、アンテナ２４０、復調処理回路部２２０および制御部２５０と置き換えた処理と同様なので詳細な説明は繰り返さない。
【０１０８】
以上の処理により、無線装置１００および無線装置２００の動作状態が活性状態に設定される。なお、無線装置２００の動作状態が活性状態になると、映像比較器２７０は、前述した最新フレーム送信指示を、切替部２８０へ送信する。切替部２８０は、映像比較器２７０から最新フレーム送信指示を受信すると、映像比較器２７０から受信するフレームを映像表示装置４００へ送信する状態となる。
【０１０９】
そして、映像再生装置３００から無線装置１００へ送信される新たな映像信号（新たなフレーム）を、映像表示装置４００に表示させるための処理を、無線装置１００および無線装置２００の各部が行なう。なお、無線装置１００および無線装置２００の各部が行なう処理は、第１の実施の形態で説明したので詳細な説明は繰り返さない。
【０１１０】
切替部２８０は、映像比較器２７０から新たなフレームを受信すると、受信した新たなフレームを映像表示装置４００へ送信する。映像表示装置４００は、受信した新たなフレームを表示する。
【０１１１】
映像再生装置３００が、新たな映像信号（新たなフレーム）を、順次、無線装置１００へ送信しているときに、無線装置１００および無線装置２００の動作状態が、休止状態であっても、外部制御機器６００から起動信号が出力された場合、前述の起動処理が行なわれる。これにより、無線装置１００および無線装置２００の動作状態は活性状態になる。そして、映像再生装置３００から無線装置１００へ送信される新たな映像信号（新たなフレーム）を映像表示装置４００に表示させるための処理を、無線装置１００および無線装置２００の各部が行なう。
【０１１２】
これらの処理により、映像再生装置３００から送信される新たなフレームを、無線により、無線装置１００から無線装置２００へ送信し、新たなフレームを映像表示装置４００に表示させることが可能となる。
【０１１３】
なお、本実施の形態では、外部制御機器６００から送信される起動信号を、無線装置１００および無線装置２００が受信していた。しかしながら、これに限定されることなく、外部制御機器６００から送信される起動信号は、無線装置１００および無線装置２００のいずれかが受信してもよい。
【０１１４】
この場合、起動信号を受信した無線装置が、ビーコンとしての起動信号を、通信相手となる、休止状態の無線装置へ送信することにより、無線装置１００および無線装置２００の両方の動作状態を、活性状態にすることが可能となる。
【０１１５】
＜第３の実施の形態＞
本実施の形態では、第２の実施の形態のように、外部制御機器６００を使用することなく、動作状態が休止状態である無線装置１００および無線装置２００の動作状態を、活性状態にするための処理について説明する。
【０１１６】
（システムの構成）
図７は、本実施の形態における、映像無線伝送システム１０００Ａの構成を示すブロック図である。なお、図７には、説明のために、映像再生装置３００および映像表示装置４００を示す。
【０１１７】
図７に示されるように、映像無線伝送システム１０００Ａは、図１の映像無線伝送システム１０００と比較して、無線装置１００の代わりに無線装置１００Ａを含む点が異なる。それ以外は、映像無線伝送システム１０００と同様なので詳細な説明は繰り返さない。
【０１１８】
なお、図７に示される無線装置２００の動作状態は、休止状態であるとする。この場合、第１の実施の形態と同様に、無線装置２００の切替部２８０は、所定時間（例えば、１／３０秒）毎に、メモリ２６０に記憶されているフレーム（記憶フレーム）を映像表示装置４００へ送信するとする。これにより、無線装置２００の動作状態が休止状態である場合にも、映像表示装置４００は、メモリ２６０に記憶されているフレーム（記憶フレーム）を表示し続けることができる。
【０１１９】
無線装置１００Ａは、図１の無線装置１００と比較して、メモリ１６０と、映像比較器１７０とをさらに備える点が異なる。それ以外は、無線装置１００と同様なので詳細な説明は繰り返さない。
【０１２０】
無線装置１００Ａは、無線装置１００と同様に、動作状態として、休止状態および活性状態を有する。
【０１２１】
無線装置１００Ａは、動作状態が休止状態であっても、図示しない内部電源から、変調処理回路部１２０、無線処理回路部１３０、制御部１５０、メモリ１６０および映像比較器１７０へ電力が供給される。すなわち、無線装置１００Ａの動作状態が休止状態であっても、変調処理回路部１２０、無線処理回路部１３０、制御部１５０、メモリ１６０および映像比較器１７０は動作可能である。なお、アンテナ１４０は、電力が供給されなくても動作可能である。
【０１２２】
メモリ１６０は、１枚のフレームを記憶可能なメモリであるとする。なお、メモリ１６０は、複数のフレームを記憶可能なメモリであってもよい。
【０１２３】
映像再生装置３００は、映像信号（フレーム）を、順次、映像比較器１７０へ送信する。
【０１２４】
映像比較器１７０は、映像信号としてのフレームを初めて受信する場合、受信したフレームを、メモリ１６０に記憶させる。そして、映像比較器１７０は、映像信号としてのフレームを受信する毎に、受信した最新のフレームと、メモリ１６０に記憶されているフレーム（以下、記憶フレームＡという）とが同一であるか否かを判定する。映像比較器１７０は、受信した最新のフレームと、記憶フレームＡとが同一であるか否かを判定した後、受信した最新のフレームを、メモリ２６０に上書き記憶させる。
【０１２５】
また、映像比較器１７０は、受信した最新のフレームと、記憶フレームＡとが同一であるか否かを判定した後、受信した最新のフレームを、映像信号処理回路部１１０へ送信する。無線装置１００Ａの動作状態が活性状態である場合、映像信号処理回路部１１０は、前述したのと同様に、受信した映像信号に対し、所定の信号処理を行なう。映像信号処理回路部１１０は、信号処理により得られた信号（デジタル信号としての映像信号）を、変調処理回路部１２０へ送信する。なお、無線装置１００Ａの動作状態が休止状態である場合、映像信号処理回路部１１０は、動作しない。
【０１２６】
（起動処理の他の例）
次に、無線装置１００Ａおよび無線装置２００の動作状態が休止状態である場合に、無線装置１００Ａおよび無線装置２００の動作状態を、活性状態に設定するための処理（以下、起動処理Ａともいう）について説明する。起動処理Ａは、無線装置１００Ａで行なわれる処理である。
【０１２７】
ここで、メモリ１６０には、１枚のフレームが記憶されているとする。また、映像再生装置３００は、無線装置１００の動作状態が休止状態になったときとは異なる新たな映像信号（新たなフレーム）を、順次、無線装置１００Ａへ送信しているとする。このとき、無線装置１００Ａおよび無線装置２００の動作状態が、休止状態であると、映像再生装置３００から送信される新たなフレームを、映像表示装置４００に表示させることはできない。そのため、無線装置１００Ａおよび無線装置２００の動作状態を、活性状態にする必要が生じる。
【０１２８】
図８は、起動処理Ａのフローチャートである。
【０１２９】
ステップＳ３１１では、フレーム取得処理Ａが行なわれる。フレーム取得処理Ａでは、映像比較器１７０が、映像再生装置３００から新たなフレームを受信する。
【０１３０】
ステップＳ３１２では、映像比較器１７０が、受信した最新のフレームと、メモリ１６０に記憶されているフレーム（記憶フレームＡ）とが同一であるか否かを判定する。そして、映像比較器１７０は、受信した最新のフレームを、メモリ２６０に上書き記憶させる。また、映像比較器１７０は、受信した最新のフレームを、映像信号処理回路部１１０へ送信する。
【０１３１】
ステップＳ３１２において、ＮＯならば、映像比較器１７０は、フレーム変化情報を、制御部１５０へ送信し、処理はステップＳ３１３に移行する。フレーム変化情報は、映像再生装置３００が送信するフレームに変化があった旨を示す情報である。
【０１３２】
一方、ステップＳ３１２において、ＹＥＳならば、再度、ステップＳ３１１の処理が行なわれる。ここでは、受信した最新のフレームと、記憶フレームとが同一でないとする。この場合、処理は、ステップＳ３１３に移行する。
【０１３３】
ステップＳ３１３では、自装置活性状態設定処理Ａが行なわれる。自装置活性状態設定処理Ａでは、制御部１５０が、自装置（無線装置１００Ａ）の動作状態が休止状態である場合、無線装置１００Ａの動作状態を活性状態に設定する。
【０１３４】
ステップＳ３１４では、活性状態設定処理Ａが行なわれる。活性状態設定処理Ａでは、制御部１５０が、アナログ信号としての起動信号を、変調処理回路部１２０へ送信する。起動信号は、無線装置２００の動作状態を活性状態にするための起動コマンドを含む信号である。
【０１３５】
変調処理回路部１２０は、受信したアナログ信号としての起動信号に対し、無線処理に適した変調処理を行なう。変調処理回路部１２０は、変調信号としての起動信号を、無線処理回路部１３０へ送信する。
【０１３６】
無線処理回路部１３０は、受信した変調信号としての起動信号に対し、信号を電波に変換するための電波変換処理を行なう。無線処理回路部１３０は、電波変換処理により得られた電波としての起動信号を、アンテナ１４０へ送信する。アンテナ１４０は、受信した電波としての起動信号を、無線装置２００へ送信する。そして、この活性状態設定処理Ａは終了する。
【０１３７】
無線装置２００のアンテナ２４０は、電波としての起動信号を受信し、受信した電波としての起動信号を、無線処理回路部２３０へ送信する。無線処理回路部２３０は、受信した、電波としての起動信号に対し、電波をアナログ信号に変換するためのアナログ信号変換処理を行なう。そして、無線処理回路部２３０は、アナログ信号としての起動信号を、復調処理回路部２２０へ送信する。
【０１３８】
復調処理回路部２２０は、受信したアナログ信号としての起動信号に対し、復調処理を行なうことにより、当該アナログ信号を、デジタル信号に変換する。そして、復調処理回路部２２０は、デジタル信号としての起動信号を、制御部２５０へ送信する。
【０１３９】
制御部２５０は、自装置（無線装置２００）の動作状態が休止状態である場合、受信した、デジタル信号としての起動信号に含まれる起動コマンドに応じて、無線装置２００の動作状態を活性状態に設定する。
【０１４０】
無線装置２００の動作状態が活性状態になると、映像比較器２７０は、前述した最新フレーム送信指示を、切替部２８０へ送信する。切替部２８０は、映像比較器２７０から最新フレーム送信指示を受信すると、映像比較器２７０から受信するフレームを映像表示装置４００へ送信する状態となる。
【０１４１】
以上の処理により、動作状態が休止状態である無線装置１００Ａが順次受信するフレームが変化することにより、動作状態が休止状態である無線装置１００Ａおよび無線装置２００の動作状態を、活性状態にすることができる。したがって、例えば、ユーザは、動作状態が休止状態である無線装置１００Ａおよび無線装置２００の動作状態を、活性状態にするための機器の操作を行なう必要がなくなる。
【０１４２】
無線装置１００Ａおよび無線装置２００の動作状態が活性状態である場合、無線装置１００Ａの映像信号処理回路部１１０、変調処理回路部１２０、無線処理回路部１３０およびアンテナ１４０が、前述した、映像再生装置３００から送信されるフレームを、無線装置２００へ送信するための処理を行なうことにより、映像再生装置３００から送信される複数のフレームの各々が、順次、無線装置２００へ送信される。
【０１４３】
そして、無線装置２００のアンテナ２４０、無線処理回路部２３０、復調処理回路部２２０、映像信号処理回路部２１０、映像比較器２７０および切替部２８０が、前述した、受信したフレームを、映像表示装置４００へ送信するための処理を行なう。これらの処理により、映像表示装置４００には、フレームが順次送信される。映像表示装置４００は、フレームを受信する毎に、受信したフレームを表示する。
【０１４４】
したがって、映像再生装置３００から送信されるフレームを、無線により、無線装置１００Ａから無線装置２００へ送信し、フレームを映像表示装置４００に表示させることが可能となる。
【０１４５】
なお、本発明は、図２、図６、図８のフローチャートに示される各ステップを、コンピュータに実行させるプログラムとしても実現することもできる。また、本発明は、当該プログラムを格納するコンピュータ読み取り可能な記録媒体、集積回路としても実現することができる。
【０１４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１４７】
本発明に係る映像無線伝送システムに含まれる、無線装置１００または無線装置１００Ａと、無線装置２００は、高周波通信、映像通信等の分野で有用に用いられる。
【図面の簡単な説明】
【０１４８】
【図１】本実施の形態における、映像無線伝送システムの構成を示すブロック図である。
【図２】フレーム対応処理のフローチャートである。
【図３】映像無線伝送システムにおける信号の流れを示す図である。
【図４】映像無線伝送システム内の２つ無線装置の動作状態が、休止状態である場合の図である。
【図５】本実施の形態における、映像無線伝送システムの構成を示すブロック図である。
【図６】起動処理のフローチャートである。
【図７】本実施の形態における、映像無線伝送システムの構成を示すブロック図である。
【図８】起動処理Ａのフローチャートである。
【図９】従来の映像無線伝送システムの構成を示すブロック図である。
【符号の説明】
【０１４９】
１００，２００  無線装置
１１０，２１０  映像信号処理回路部
１２０  変調処理回路部
１３０，２３０  無線処理回路部
１４０，２４０  アンテナ
１５０，２５０  制御部
１６０，２６０  メモリ
１７０，２７０  映像比較器
２２０  復調処理回路部
２８０  切替部
３００  映像再生装置
４００  映像表示装置
６００  外部制御機器
１０００，１０００Ａ  映像無線伝送システム
【図１】
2010124082.tif 000003
【図２】
2010124082.tif 000004
【図３】
2010124082.tif 000005
【図４】
2010124082.tif 000006
【図５】
2010124082.tif 000007
【図６】
2010124082.tif 000008
【図７】
2010124082.tif 000009
【図８】
2010124082.tif 000010
【図９】
2010124082.tif 000011